(57)【特許請求の範囲】
【請求項１】
メイン情報を表示するメイン表示部と、視認者から見て前記メイン表示部の外周に位置するサブ情報を表示するサブ表示部と、を備えた表示装置であって、
光を放射する光源と、
前記光源が実装される基板と、
前記メイン表示部及び前記基板の間に位置する第１のケースと、
前記基板の厚さ方向から見て少なくとも前記第１のケースの外周を囲む第２のケースと、を備え、
前記第１のケースには前記第２のケースに対向する面に第１の遮光部が設けられ、
前記第２のケースには前記第１のケースに対向する面に第２の遮光部が設けられ、
前記第１及び前記第２の遮光部は、互いに組み合わされることで、前記光源からの光を前記サブ表示部に導光する筒部をなす、
ことを特徴とする表示装置。
【請求項２】
前記第１及び前記第２の遮光部の何れか一方は、隣り合う前記筒部の境界部に沿って延びる一対の第１の遮光壁を備え、
前記第１及び前記第２の遮光部の何れか他方は、前記境界部に沿って延び、前記一対の第１の遮光壁の間に位置する第２の遮光壁を備える、
ことを特徴とする請求項１に記載の表示装置。
【請求項３】
前記メイン表示部は、前記メイン表示部に電流を入出力させる接続ピンを備え、
前記第１の遮光部は、前記接続ピンに対応する領域に亘って設けられる、
ことを特徴とする請求項１又は２に記載の表示装置。
【発明の詳細な説明】
【技術分野】
【０００１】
本発明は、表示装置に関する。
【背景技術】
【０００２】
従来から、例えば特許文献１に記載されるように、車速等を表す指針式計器であるメイン表示器と、ウインカー等を示す報知記号を点灯させるインジケータ表示器と、を備えた表示装置が知られている。このインジケータ表示器は、光源と、インジケータ記号に応じた箇所のみ光が透過する基板と、光源からの光を基板に導く隔壁である筒部と、を備える。
また、例えば特許文献２に記載されるように、メイン表示器として指針式計器に代えて液晶ディスプレイ等のデジタル表示器を設ける構成も知られている。
【先行技術文献】
【特許文献】
【０００３】
【特許文献１】特開平１１−０５９２２８号公報
【特許文献２】特開２０１６−００６４６２号公報
【発明の概要】
【発明が解決しようとする課題】
【０００４】
上記特許文献１の構成において、表示装置の小型化を実現するべく、インジケータ表示器をメイン表示器に近い位置に設けることが検討されている。例えば、筒部がメイン表示器を収容するケースと別体で構成される場合、表示装置を組み立てる際、筒部がメイン表示器又はケースに当接することで組み付けが困難とならないように、筒部とメイン表示器又はケースとの間には十分なクリアランスを確保する必要がある。このため、表示装置を小型化することが困難であった。
【０００５】
本発明は、上記実状を鑑みてなされたものであり、小型化を実現した表示装置を提供することを目的とする。
【課題を解決するための手段】
【０００６】
上記目的を達成するため、本発明に係る表示装置は、
メイン情報を表示するメイン表示部と、視認者から見て前記メイン表示部の外周に位置するサブ情報を表示するサブ表示部と、を備えた表示装置であって、
光を放射する光源と、
前記光源が実装される基板と、
前記メイン表示部及び前記基板の間に位置する第１のケースと、
前記基板の厚さ方向から見て少なくとも前記第１のケースの外周を囲む第２のケースと、を備え、
前記第１のケースには前記第２のケースに対向する面に第１の遮光部が設けられ、
前記第２のケースには前記第１のケースに対向する面に第２の遮光部が設けられ、
前記第１及び前記第２の遮光部は、互いに組み合わされることで、前記光源からの光を前記サブ表示部に導光する筒部をなす、
ことを特徴とする。
【発明の効果】
【０００７】
本発明によれば、表示装置の小型化を実現できる。
【図面の簡単な説明】
【０００８】
【図１】本発明の一実施形態に係る表示装置の正面図である。
【図２】図１のＡ−Ａ線断面図である。
【図３】本発明の一実施形態に係る上カバーが取り外された表示装置の斜視図である。
【図４】本発明の一実施形態に係る中ケースの斜視図である。
【図５】本発明の一実施形態に係る上ケースの斜視図である。
【図６】本発明の一実施形態に係る筒部間での光の進路を示す図である。
【図７】本発明の一実施形態に係る上ケースの斜視図である。
【発明を実施するための形態】
【０００９】
本発明に係る表示装置の一実施形態について、図面を参照して説明する。本実施形態に係る表示装置は車両に搭載される。
【００１０】
図１に示すように、表示装置１０は、正面から見て、略中央に位置して車速等の車両情報をデジタル表示するデジタル表示部１１と、車両の方向指示、ヘッドライトのハイビーム、パーキングポジション、ＡＢＳ（Antilock Brake System）等の車両の状態を表示する複数（本例では３つ）のインジケータ表示部１２ａ〜１２ｃと、を備える。
本例では、３つのインジケータ表示部１２ａ〜１２ｃは、デジタル表示部１１の上方に、視認者から見て左右方向に沿って並ぶように配置されている。
なお、デジタル表示部１１はメイン表示部の一例であって、またインジケータ表示部１２ａ〜１２ｃはサブ表示部の一例である。
【００１１】
表示装置１０は、図２に示すように、第１のケースの一例である中ケース２０と、第２のケースの一例である上ケース３０と、下ケース４０と、回路基板５０と、液晶ディスプレイ５１と、複数の光源５２ａ，５２ｂと、を備える。
【００１２】
下ケース４０は、例えばＡＥＳ（Acrylonitrile-Ethylene-Styrene）樹脂からなり、表側（視認者側）に向かって開いた箱状に形成されている。下ケース４０内には、回路基板５０が収納されている。回路基板５０の表面には複数の光源５２ａ、５２ｂが実装されている。各光源５２ａ、５２ｂは例えばＬＥＤ（Light Emitting Diode）から構成されている。複数の光源５２ａはデジタル表示部１１（液晶ディスプレイ５１）を照明し、複数の光源５２ｂはインジケータ表示部１２ａ〜１２ｃを照明する。
【００１３】
中ケース２０は、例えばポリプロピレンからなる樹脂材料から一体で構成されている。中ケース２０は、回路基板５０の表面に位置する。複数の光源５２ａは中ケース２０の内部空間に位置し、複数の光源５２ｂは中ケース２０の外部空間に位置する。
【００１４】
中ケース２０は、図４に示すように、表側に向かって開いた箱状の本体部２１と、本体部２１の外周面に配置される中ケース遮光部２２と、を備える。
本体部２１は視認者から見て上側に位置する上側側壁２１ａを備える。
中ケース遮光部２２は、本体部２１の上側側壁２１ａの外面に設けられる。中ケース遮光部２２は第１の遮光部に相当する。
【００１５】
中ケース遮光部２２は、基板部２２ｇと、基板部２２ｇから立設する６つの遮光壁２２ａ〜２２ｆと、を備える。
基板部２２ｇは、上側側壁２１ａの長手方向に沿って延びる長方形板状をなす。
各遮光壁２２ａ〜２２ｆは、基板部２２ｇに直交するように上側側壁２１ａの短手方向に沿って延びる長方形板状に形成されている。遮光壁２２ａ、２２ｆは、基板部２２ｇの長手方向における両端部に位置している。遮光壁２２ｂ〜２２ｅは、遮光壁２２ａ，２２ｆの間に配列されている。遮光壁２２ｂ〜２２ｅは、遮光壁２２ａから遮光壁２２ｆに向かう方向に、遮光壁２２ｂ、遮光壁２２ｃ、遮光壁２２ｄ、遮光壁２２ｅの順に配置されている。遮光壁２２ｂ、２２ｃは互いに近い位置で対面している。また、遮光壁２２ｄ，２２ｅは互いに近い位置で対面している。
基板部２２ｇは、遮光壁２２ａ、２２ｂの間の第１板部２２ｇ１と、遮光壁２２ｂ、２２ｃの間の第２板部２２ｇ２と、遮光壁２２ｃ、２２ｄの間の第３板部２２ｇ３と、遮光壁２２ｄ、２２ｅの間の第４板部２２ｇ４と、遮光壁２２ｅ、２２ｆの間の第５板部２２ｇ５と、を備える。第１、第３及び第５板部２２ｇ１、２２ｇ３、２２ｇ５は、互いにほぼ同一面積を有し、第２及び第４板部２２ｇ２、２２ｇ４よりも大きい面積を有する。
なお、遮光壁２２ｂ、２２ｃと、遮光壁２２ｄ、２２ｅは、それぞれ一対の第１の遮光壁に相当する。
【００１６】
液晶ディスプレイ５１は、図２に示すように、例えば回路基板５０に実装される図示しないマイクロコンピュータ等からなる制御部による制御のもと、光源５２ａからの光を受けて車両情報に係る画像を表示する。液晶ディスプレイ５１は、図３に示すように、長方形板状に形成され、中ケース２０の表面に設置されている。液晶ディスプレイ５１は、その長手方向に沿って配列される複数の接続ピン５１ａを備える。各接続ピン５１ａは、液晶ディスプレイ５１の長手方向の側部において、液晶ディスプレイ５１をその厚さ方向に把持するように略Ｕ字状に形成されている。液晶ディスプレイ５１は、複数の接続ピン５１ａを介して、何れも図示しない制御部、電源等に接続されている。液晶ディスプレイ５１は、複数の接続ピン５１ａを介して信号用又は電源用の電流を入出力する。液晶ディスプレイ５１が中ケース２０に設置された状態で、複数の接続ピン５１ａは中ケース遮光部２２に対向する領域に配置されている。液晶ディスプレイ５１、中ケース２０及び回路基板５０は、図２に示すように、固定部材１５を介して一体化されている。
【００１７】
上ケース３０は、図５に示すように、例えばＡＥＳ樹脂によって形成され、下ケース４０に向かって開いた箱状に形成されている。上ケース３０は、中ケース２０及び回路基板５０を収容した状態における下ケース４０にビス（図示略）を介して固定されている。
上ケース３０の天井板３０ａには、図２に示すように、透明板３３で塞がれる第１の開口部３１と、インジケータ表示板３４で塞がれる複数の第２の開口部３２と、が形成されている。
透明板３３は、アクリル等の合成樹脂により長方形板状に形成され、液晶ディスプレイ５１の表面に対面して位置する。また、インジケータ表示板３４は、インジケータ表示部１２ａ〜１２ｃに対応する位置及び形状で形成されている。透明板３３及びインジケータ表示板３４は、例えば、上ケース３０にインサート成形されている。
【００１８】
インジケータ表示板３４は、アクリル等の合成樹脂からなる透過板と、その透過板の裏面に形成される黒色等の遮光性の塗料からなるインク層とが積層されることで形成される。このインク層は、インジケータ表示部１２ａ〜１２ｃに対応する記号部分だけ形成されていない。すなわち、インジケータ表示板３４は、この記号部分だけ光源５２ｂからの光を透過させる。
【００１９】
上ケース３０は、図５に示すように、中ケース遮光部２２に組み合わされる上ケース遮光部３６を備える。上ケース遮光部３６は、上ケース３０における上側側壁３０ｄと、上側側壁３０ｄの内面に形成される２つの遮光壁３５ａ、３５ｂとから構成される。各遮光壁３５ａ、３５ｂは、隣り合う複数の第２の開口部３２の間に形成されている。なお、上ケース遮光部３６は第２の遮光部に相当する。遮光壁３５ａ、３５ｂは、第２の遮光壁に相当する。
【００２０】
上ケース３０が中ケース２０に組み合わされることで、上ケース遮光部３６が中ケース遮光部２２に組み合わされ、第１〜第３の筒部６１〜６３が形成される。
第１〜第３の筒部６１〜６３の内部空間には、それぞれ光源５２ｂが配置されている。第１〜第３の筒部６１〜６３は、図２に示すように、光源５２ｂからの光を、対応するインジケータ表示部１２ａ〜１２ｃのインジケータ表示板３４に導くように形成される。
具体的には、図６に示すように、上ケース３０が中ケース２０に組み合わされた際、上ケース３０の遮光壁３５ａは、中ケース２０の遮光壁２２ｂ、２２ｃの間に位置し、かつ遮光壁２２ｂ、２２ｃの間の第２板部２２ｇ２に近接又は当接する。同様に、上ケース３０の遮光壁３５ｂは、中ケース２０の遮光壁２２ｄ，２２ｅの間に位置し、かつ遮光壁２２ｄ，２２ｅの間の第４板部２２ｇ４に近接又は当接する。これにより、例えば、図６の破線の矢印Ａ１に示すように、筒部６１から筒部６２に漏れる光の経路を蛇行させることができる。よって、筒部６１から筒部６２に光が漏れづらい。全ての筒部６１〜６３間において同様の構造が実現されているため、全ての筒部６１〜６３間で光が漏れづらい。
【００２１】
（効果）
以上、説明した一実施形態によれば、以下の効果を奏する。
【００２２】
（１）本実施形態に係る表示装置１０は、車速等の情報を表示するデジタル表示部１１と、視認者から見てデジタル表示部１１の外周に位置するインジケータ情報を表示するインジケータ表示部１２ａ〜１２ｃと、を備える。また、表示装置１０は、光を放射する光源５２ｂと、光源５２ｂが実装される基板５０と、デジタル表示部１１及び基板５０の間に位置する中ケース２０と、基板５０の厚さ方向から見て少なくとも中ケース２０の外周を囲む上ケース３０と、を備える。中ケース２０には、上ケース３０に対向する面に中ケース遮光部２２が設けられる。上ケース３０には、中ケース２０に対向する面に上ケース遮光部３６が設けられる。これら遮光部２２、３６は、互いに組み合わされることで、光源５２ｂからの光をインジケータ表示部１２ａ〜１２ｃに導光する筒部６１〜６３をなす。
上記実施形態によれば、筒部６１〜６３は、中ケース遮光部２２と上ケース遮光部３６とに分割可能に構成される。よって、中ケース遮光部２２をデジタル表示部１１（液晶ディスプレイ５１）に近い位置に設けた場合であっても、表示装置１０を組み立てる際に、筒部６１〜６３が液晶ディスプレイ５１又は中ケース２０に当接することが抑制される。
例えば、表示装置１０を組み立てる際に、中ケース遮光部２２の第２板部２２ｇ２及び第４板部２２ｇ４により遮光壁３５ａ、３５ｂが接続ピン５１ａへ当接することが抑制される。
よって、筒部６１〜６３と液晶ディスプレイ５１との間のクリアランスが小さくて済むため、表示装置１０の小型化を実現することができる。
【００２３】
（２）本実施形態に係る表示装置１０における中ケース遮光部２２は、隣り合う筒部６１〜６３の境界部に沿って延びる一対の遮光壁２２ｂ、２２ｃ又は一対の遮光壁２２ｄ、２２ｅを備え、上ケース遮光部３６は、上記境界部に沿って延び、一対の遮光壁２２ｂ、２２ｃ又は一対の遮光壁２２ｄ、２２ｅの間に位置する遮光壁３５ａ又は３５ｂを備える。
上記実施形態によれば、隣り合う筒部６１〜６３間で光が漏れることを抑制できる。
【００２４】
（３）本実施形態に係る表示装置１０は、デジタル表示部１１に画像を表示する液晶ディスプレイ５１を備え、液晶ディスプレイ５１は、デジタル表示部１１に電流を入出力させる接続ピン５１ａを備え、中ケース遮光部２２は、接続ピン５１ａに対向する領域に亘って設けられる。
上記実施形態によれば、表示装置１０を組み立てる際に、筒部６１〜６３が液晶ディスプレイ５１の接続ピン５１ａに接触することが抑制される。
【００２５】
（変形例）
なお、上記実施形態は、これを適宜変更した以下の形態にて実施することができる。
【００２６】
上記実施形態においては、上ケース３０には遮光壁３５ａ、３５ｂが形成されていたが、上ケース３０ではなく、第２のケースとしての下ケース４０に遮光壁３５ａ、３５ｂが形成されてもよい。この場合、下ケース４０は、中ケース２０の外周を囲むように形成される。
【００２７】
上記実施形態においては、表示装置１０はメイン表示部として液晶ディスプレイ５１を備えていたが、液晶ディスプレイ５１に代えてメイン表示部として指針式計器を備えていてもよい。
【００２８】
上記実施形態においては、表示装置１０は３つのインジケータ表示部１２ａ〜１２ｃを備えていたが、インジケータ表示部１２ａ〜１２ｃの位置、数、形状及び種類はこれに限らず適宜変更してもよい。
【００２９】
上記実施形態においては、例えば、隣り合う筒部６１、６２の間において、中ケース２０には第１の遮光壁としての遮光壁２２ｂ、２２ｃが２つ設けられ、上ケース３０には第２の遮光壁としての遮光壁３５ａが１つ設けられていたが、第１及び第２の遮光壁の数はこれに限定されない。例えば、上ケース３０に一対の遮光壁を設け、中ケース２０にその一対の遮光壁の間に位置する１つの遮光壁を設けてもよい。また、第１及び第２の遮光壁はそれぞれ２つずつ、又は、１つずつ設けてもよい。
【符号の説明】
【００３０】
１０…表示装置、１１…デジタル表示部、１２ａ、１２ｂ、１２ｃ…インジケータ表示部、１５…固定部材、２０…中ケース、２１…本体部、２１ａ…上側側壁、２２…中ケース遮光部、２２ａ、２２ｂ、２２ｃ、２２ｄ、２２ｅ、２２ｆ…遮光壁、２２ｇ…基板部、２２ｇ１…第１板部、２２ｇ２…第２板部、２２ｇ３…第３板部、２２ｇ４…第４板部、２２ｇ５…第５板部、３０…上ケース、３０ａ…天井板、３０ｄ…上側側壁、３１…第１の開口部、３２…第２の開口部、３３…透明板、３４…インジケータ表示板、３５ａ、３５ｂ…遮光壁、３６…上ケース遮光部、４０…下ケース、５０…回路基板、５１…液晶ディスプレイ、５１ａ…接続ピン、５２ａ、５２ｂ…光源、６１…第１の筒部、６２…第２の筒部、６３…第３の筒部
【図１】
0006658202.tif 000002
【図２】
0006658202.tif 000003
【図３】
0006658202.tif 000004
【図４】
0006658202.tif 000005
【図５】
0006658202.tif 000006
【図６】
0006658202.tif 000007
【図７】
0006658202.tif 000008